(57)【要約】      （修正有）【課題】簡単な操作で、支持脚を使用時にハの字状に開き、不使用時に平行状に折畳むことができながら、支持脚の開脚・折畳状態を確実に保持できるバリケードを提供する。【解決手段】各連結部材３は、横棒２の受入孔部３１と、対向する側壁部３２と、カバー部３３と、両側壁部３２に形成した支持脚４をバリケード使用時にハの字状に係止する使用時係止部３５と、カバー部３３及び両側壁部３２に形成した支持脚４をバリケード不使用時に平行状に横棒２の下方に係止する不使用時係止部３６とを備える。２つの回動片４２、４３を離反する方向に付勢する圧縮コイルばね６を回動軸７の下方における回動片４２、４３に取付け、支持脚４の２本の円管状部材４１を圧縮コイルばね６の付勢力に抗して近づける方向に操作して、各係止部３５、３６に対して支持脚４を簡単に切替え操作ができながら、各係止部３５、３６に確実に保持することができる。【選択図】図５
0003173163.tif 000002
【実用新案登録請求の範囲】
【請求項１】
横棒と、前記横棒の両端に固定した一対の連結部材と、前記各連結部材に取付けるとともにハの字状で対向して前記横棒を設置箇所から所定高さに支持する一対の支持脚とを備えたバリケードにおいて、
前記各連結部材は、前記横棒の端部を受け入れる水平方向の受入孔部と、前記受入孔部から下方に一体に形成した対向する側壁部と、前記両側壁部の前方上方を覆うカバー部と、前記各側壁部に設けた取付軸の固定部と、前記両側壁部に形成した前記支持脚をバリケード使用時にハの字状に係止する使用時係止部と、前記カバー部及び／又は前記両側壁部に形成した前記支持脚をバリケード不使用時に平行状に前記横棒の下方に係止する不使用時係止部とを備えており、
前記各支持脚は、２本の円管状部材と各円管状部材の上方に固定した回動片とから構成し、前記各回動片を回動軸に取付けて２本の円管状部材をハの字状と平行状とに回動可能に形成するとともに、前記２つの回動片を離反する方向に付勢する圧縮コイルばねを前記回動軸の下方における前記回動片に取付け、前記２つの回動片の上端において前記連結部材に設けた前記取付軸にその軸径よりも大きな取付孔で取付けていることを特徴とするバリケード。
【請求項２】
前記使用時係止部は、前記両側壁部に形成した外方への使用時係止膨出部と、前記使用時係止膨出部に形成した使用時係止孔部とからなり、
前記使用時係止膨出部は、前記支持脚をバリケード使用時のハの字状とした状態で、前記円管状部材の外方形状に合致する形状に形成し、
前記使用時係止孔部は、前記回動片における前記圧縮コイルばねの取付部近傍の外方に突起部を形成して、前記支持脚をバリケード使用時のハの字状とした状態で、前記突起部に係合する形状に形成し、
前記不使用時係止部は、前記カバー部に形成した一対の不使用時係止切欠部と、前記両側壁部に形成した不使用時係止孔部とからなり、
前記不使用時係止切欠部は、前記支持脚をバリケード不使用時の平行状とした状態で、前記円管状部材と係合する半円状に形成し、
前記不使用時係止孔部は、前記支持脚をバリケード不使用時の平行状とした状態で、前記回動片に形成した前記突起部に係合する形状に形成していることを特徴とする請求項１に記載のバリケード。
【請求項３】
前記１本の支持脚を構成する２つの回動片はそれぞれ、前記円管状部材の上端に嵌め込む嵌合部と、前記嵌合部の上方に一体に形成した板状部と、板状部の上方に形成した前記取付孔と、前記板状部の下方両側から内方に突出する突出片と、前記突出片に形成した前記回動軸に嵌合する回動孔と、前記板状部の内面に突出させた前記圧縮コイルばねの端部を案内する案内部とを備えており、
前記２つの回動片は、一方の回動片の板状部の幅を他方の回動片の板状部の幅よりも大きく形成して、一方の回動片における前記両突出片の内側に、他方の回動片における前記両突出片が位置するように前記回動軸に取付けていることを特徴とする請求項１又は請求項２に記載のバリケード。
【考案の詳細な説明】
【技術分野】
【０００１】
本考案は、工事用、交通規制用等に使用するバリケード、特に、支持脚を使用時にハの字状に開き、不使用時に平行状に折畳むことができるとともに、支持脚の開脚状態と折畳状態とを簡単な操作でかつ確実に保持することができるバリケードに関する技術である。
【背景技術】
【０００２】
従来、図６〜図８に示すバリケードが知られている（例えば、特許文献１参照）。
図６は斜視図、図７は拡開側ストッパを示す断面図、図８は折畳側ストッパを示す一部切欠断面図であり、図６〜図８において、鋼管製の横棒８１の両端部には、硬質プラスチックの一体成形品であるブロック状の支持具８２、８２が対向して取付けられ、支持具８２の左右両側に下方に向かってハ字形に広がる一対の傾斜面部８３、８３が形成されている。
【０００３】
鋼管製の脚杆８４は、その上端部に穿設した穴に傾斜面部８３に突設固着された支軸８５を挿通してナットで締付けることにより、傾斜面部８３に垂直な軸線のまわりに回動自在に支持具８２に取付けられている。
拡開側ストッパ８６は、支持具８２の左右両側の下部に設けられ、拡開位置で脚杆８４の回動を阻止するとともに拡開位置に脚杆８４を保持するようにしている。
【０００４】
この拡開側ストッパ８６は、図７に示すように、脚杆８４の外面が係合する半円筒面状のストッパ面８７を有するストッパ片部８８と、このストッパ片部８８に連設され傾斜面部８３に向かって湾曲して傾斜面部８３との間に脚杆８４の外径よりも狭い幅Ｖの開口部を形成する保持片部８９と、この保持片部８９に連設され保持片部８９と反対方向に湾曲したガイド面９０を有する導入片部９１とからなり、これら各部は支持具８２と共に硬質プラスチックで一体成形されている。
折畳側ストッパ９２は、支持具８２の左右両側の上部に設けられ、前記拡開側ストッパ８６に対して支軸８５の中心のまわりに約９０度回転した位置に、開口部の向きを下方にして設けてあり、横棒８１に対してほぼ平行な折畳位置で脚杆８４の回動を阻止するとともに折畳位置に脚杆８４を保持するようにしている。
【０００５】
この折畳側ストッパ９２は、図８に示すように、脚杆８４の外面が係合する半円筒面状のストッパ面９３を有するストッパ片部９４と、このストッパ片部９４に連設され傾斜面部８３に向かって湾曲して傾斜面部８３との間に脚杆８４の外径よりも狭い幅Ｗの開口部を形成する保持片部９５と、この保持片部９５に連設され保持片部９５と反対方向に湾曲したガイド面９６を有する導入片部９７とからなり、これら各部は支持具８２と共に硬質プラスチックで一体成形されている。
そして、バリケード９８を工事現場等で使用する際は、図６の矢印Ｘで示す方向に各脚杆８４を支軸８５のまわりに回動させ、脚杆８４を拡開側ストッパ８６により図６に示す拡開位置に保持し、使用後にバリケード９８を折畳む際は、図６の矢印Ｙで示す方向に各脚杆８４を支軸８５のまわりに回動させ、横棒８１とほぼ平行になる位置まで回動させて折畳側ストッパ９２に脚杆８４の上部を係合させるようにしている。
【先行技術文献】
【特許文献】
【０００６】
【特許文献１】実用新案登録第２５９４６９４号公報
【考案の概要】
【考案が解決しようとする課題】
【０００７】
特許文献１に記載された従来のバリケード９８は、脚杆８４を拡開位置及び折畳位置に保持する構成として、硬質プラスチックにより支持具８２に一体成形された拡開側ストッパ８６の保持片部８９及び折畳側ストッパ９２の保持片部９５の弾性力に依存しているため、脚杆８４を各位置に確実に保持させるように弾性力を強くすれば、脚杆８４を拡開位置と折畳位置とに切替える際に大きな力が必要となり、脚杆８４を簡単に切替ながら各位置に確実に保持することができないという問題があった。
【０００８】
本考案は、このような従来の構成が有していた課題を解決しようとするものであり、支持脚の開脚状態と折畳状態とを簡単な操作でかつ確実に保持することができるバリケードとすることを目的としている。
【課題を解決するための手段】
【０００９】
請求項１に係る本考案のバリケードは、横棒と、前記横棒の両端に固定した一対の連結部材と、前記各連結部材に取付けるとともにハの字状で対向して前記横棒を設置箇所から所定高さに支持する一対の支持脚とを備えたバリケードにおいて、
前記各連結部材は、前記横棒の端部を受け入れる水平方向の受入孔部と、前記受入孔部から下方に一体に形成した対向する側壁部と、前記両側壁部の前方上方を覆うカバー部と、前記各側壁部に設けた取付軸の固定部と、前記両側壁部に形成した前記支持脚をバリケード使用時にハの字状に係止する使用時係止部と、前記カバー部及び／又は前記両側壁部に形成した前記支持脚をバリケード不使用時に平行状に前記横棒の下方に係止する不使用時係止部とを備えており、
前記各支持脚は、２本の円管状部材と各円管状部材の上方に固定した回動片とから構成し、前記各回動片を回動軸に取付けて２本の円管状部材をハの字状と平行状とに回動可能に形成するとともに、前記２つの回動片を離反する方向に付勢する圧縮コイルばねを前記回動軸の下方における前記回動片に取付け、前記２つの回動片の上端において前記連結部材に設けた前記取付軸にその軸径よりも大きな取付孔で取付けたものである。
【００１０】
請求項２に係る本考案のバリケードは、請求項１に係る本考案の構成に加え、前記使用時係止部は、前記両側壁部に形成した外方への使用時係止膨出部と、前記使用時係止膨出部に形成した使用時係止孔部とからなり、
前記使用時係止膨出部は、前記支持脚をバリケード使用時のハの字状とした状態で、前記円管状部材の外方形状に合致する形状に形成し、
前記使用時係止孔部は、前記回動片における前記圧縮コイルばねの取付部近傍の外方に突起部を形成して、前記支持脚をバリケード使用時のハの字状とした状態で、前記突起部に係合する形状に形成し、
前記不使用時係止部は、前記カバー部に形成した一対の不使用時係止切欠部と、前記両側壁部に形成した不使用時係止孔部とからなり、
前記不使用時係止切欠部は、前記支持脚をバリケード不使用時の平行状とした状態で、前記円管状部材と係合する半円状に形成し、
前記不使用時係止孔部は、前記支持脚をバリケード不使用時の平行状とした状態で、前記回動片に形成した前記突起部に係合する形状に形成したものである。
【００１１】
請求項３に係る本考案のバリケードは、請求項１又は２に係る本考案の構成に加え、前記１本の支持脚を構成する２つの回動片はそれぞれ、前記円管状部材の上端に嵌め込む嵌合部と、前記嵌合部の上方に一体に形成した板状部と、板状部の上方に形成した前記取付孔と、前記板状部の下方両側から内方に突出する突出片と、前記突出片に形成した前記回動軸に嵌合する回動孔と、前記板状部の内面に突出させた前記圧縮コイルばねの端部を案内する案内部とを備えており、
前記２つの回動片は、一方の回動片の板状部の幅を他方の回動片の板状部の幅よりも大きく形成して、一方の回動片における前記両突出片の内側に、他方の回動片における前記両突出片が位置するように前記回動軸に取付けたものである。
【考案の効果】
【００１２】
請求項１に係る本考案のバリケードは、各連結部材は、両側壁部の前方上方を覆うカバー部と、前記各側壁部に設けた取付軸の固定部と、前記両側壁部に形成した支持脚をバリケード使用時にハの字状に係止する使用時係止部と、前記カバー部及び／又は前記両側壁部に形成した前記支持脚をバリケード不使用時に平行状に横棒の下方に係止する不使用時係止部とを備えており、２つの回動片を離反する方向に付勢する圧縮コイルばねを回動軸の下方における前記回動片に取付け、前記２つの回動片の上端において前記連結部材に設けた前記取付軸にその軸径よりも大きな取付孔で取付けているから、支持脚を使用時係止部から不使用時係止部に又はその逆に係止するように切替える際は、支持脚の２本の円管状部材を圧縮コイルばねの付勢力に抗して近づける方向に操作することにより、簡単に切替えることができながら、圧縮コイルばねの弾性力により支持脚を各係止部に確実に保持することができるのである。
【００１３】
請求項２に係る本考案のバリケードは、請求項１に係る本考案の効果に加え、前記使用時係止部は、前記両側壁部に形成した外方への使用時係止膨出部と、前記使用時係止膨出部に形成した使用時係止孔部とからなり、前記使用時係止膨出部は、前記支持脚をバリケード使用時のハの字状とした状態で、前記円管状部材の外方形状に合致する形状に形成し、前記使用時係止孔部は、前記回動片における前記圧縮コイルばねの取付部近傍の外方に突起部を形成して、前記支持脚をバリケード使用時のハの字状とした状態で、前記突起部に係合する形状に形成し、前記不使用時係止部は、前記カバー部に形成した一対の不使用時係止切欠部と、前記両側壁部に形成した不使用時係止孔部とからなり、前記不使用時係止切欠部は、前記支持脚をバリケード不使用時の平行状とした状態で、前記円管状部材と係合する半円状に形成し、前記不使用時係止孔部は、前記支持脚をバリケード不使用時の平行状とした状態で、前記回動片に形成した前記突起部に係合する形状に形成したから、支持脚を各係止部に一層確実に保持することができるのである。
【００１４】
請求項３に係る本考案のバリケードは、請求項１又は２に係る本考案の効果に加え、前記１本の支持脚を構成する２つの回動片はそれぞれ、前記円管状部材の上端に嵌め込む嵌合部と、前記嵌合部の上方に一体に形成した板状部と、板状部の上方に形成した前記取付孔と、前記板状部の下方両側から内方に突出する突出片と、前記突出片に形成した前記回動軸に嵌合する回動孔と、前記板状部の内面に突出させた前記圧縮コイルばねの端部を案内する案内部とを備えており、前記２つの回動片は、一方の回動片の板状部の幅を他方の回動片の板状部の幅よりも大きく形成して、一方の回動片における前記両突出片の内側に、他方の回動片における前記両突出片が位置するように前記回動軸に取付けているから、支持脚を使用時係止部から不使用時係止部に又はその逆に係止するように切替える際に一層円滑な操作をすることができるのである。
【図面の簡単な説明】
【００１５】
【図１】本考案の実施の形態に係るバリケードを示す図面で、（ａ）は使用時の斜視図、（ｂ）は不使用時の斜視図である。
【図２】本考案の実施の形態に係る連結部材を示す図面で、（ａ）は正面図、（ｂ）は斜視図である。
【図３】本考案の実施の形態に係る２つの回動片を示す図面で、（ａ）は正面図、（ｂ）は底面図である。
【図４】本考案の実施の形態に係る２つの回動片に圧縮コイルばねを組み込んだ状態を示す図面で、（ａ）は正面図、（ｂ）は側面図、（ｃ）は底面図、（ｄ）は（ｂ）のＡ−Ａ線断面図である。
【図５】図１（ａ）のＢ−Ｂ線断面図である。
【図６】従来のバリケードを示す斜視図である。
【図７】従来のバリケードの拡開側ストッパを示す断面図である。
【図８】従来のバリケードの折畳側ストッパを示す一部切欠断面図である。
【考案を実施するための形態】
【００１６】
以下、本考案の実施の形態を添付した図１〜図５に基づき詳細に説明する。
図１はバリケードを示す図面で、（ａ）はバリケード使用時の斜視図、（ｂ）はバリケード不使用時の斜視図であり、バリケード１は、横棒２と、横棒２の左右両端に固定した一対の連結部材３、３と、各連結部材３に取付けるとともに図１（ａ）に示すように前記横棒２を地上などの設置箇所から所定高さ（例えば、７０ｃｍ）に支持する一対の支持脚４、４とを備え、全長を１５０ｃｍとしている。
【００１７】
横棒２は、材質をＡＢＳ樹脂とし、外径が４０．５ｍｍ、厚みが１．５ｍｍの円管状であり、表面を交互に白色と緑色に塗装している。
図２は連結部材を示す図面で、（ａ）は正面図、（ｂ）は斜視図であり、各連結部材３は、ＡＢＳ樹脂製で、前記横棒２の端部を受け入れる水平方向の受入孔部３１と、前記受入孔部３１から下方に一体に形成した対向する側壁部３２、３２と、前記両側壁部３２、３２の前方上方を覆うカバー部３３と、前記各側壁部３２に設けた取付軸５（図５参照）の固定部３４と、前記両側壁部３２、３２に形成した前記支持脚４をバリケード使用時にハの字状に係止する使用時係止部３５、３５と、前記カバー部３３及び前記両側壁部３２、３２に形成した前記支持脚４をバリケード不使用時に平行状に前記横棒２の下方に係止する不使用時係止部３６、３６とを備えている。
【００１８】
そして、前記使用時係止部３５、３５は、両側壁部３２、３２に形成した外方への使用時係止膨出部３５ａ、３５ａと、前記使用時係止膨出部３５ａ、３５ａに形成した使用時係止孔部３５ｂ、３５ｂとから構成している。
前記使用時係止膨出部３５ａ、３５ａは、前記支持脚４をバリケード使用時のハの字状とした状態で、円管状部材４１（図５参照）の外方形状に合致する円弧面の形状に形成している。
【００１９】
前記使用時係止孔部３５ｂ、３５ｂは、回動片４２、４３（図５参照）における圧縮コイルばね６（図４参照）の取付部近傍の外方に突起部４２ａ、４３ａ（図４参照）を形成して、前記支持脚４をバリケード使用時のハの字状とした状態で、前記突起部４２ａ、４３ａに係合する縦に長い長孔の形状に形成している。
また、前記不使用時係止部３６、３６は、前記カバー部３３に形成した一対の不使用時係止切欠部３６ａ、３６ａと、前記両側壁部３２、３２に形成した不使用時係止孔部３６ｂ、３６ｂとから構成している。
【００２０】
前記不使用時係止切欠部３６ａ、３６ａは、前記支持脚４をバリケード不使用時の平行状とした状態で、前記円管状部材４１と係合する半円状であって両不使用時係止切欠部３６ａ、３６ａの半円状の開口部が中心側に向くように形成している。
このように、不使用時係止切欠部３６ａ、３６ａを形成することにより、圧縮コイルばね６の弾性力で円管状部材４１、４１を不使用時係止切欠部３６ａ、３６ａに確実に保持するようにしている。
【００２１】
また、前記不使用時係止孔部３６ｂ、３６ｂは、前記支持脚４をバリケード不使用時の平行状とした状態で、前記回動片４２、４３に形成した前記突起部４２ａ、４３ａに係合する横に長い長孔の形状に形成している
さらに、前記連結部材３は、前記受入孔部３１及び両側壁部３２、３２の後方を覆う後壁部３７を一体に形成し、両側壁部３２、３２に設けた固定部３４、３４は一方をビスの頭部が入る円孔状とし、他方をビスを止めるナットが回転しないように六角孔状（図２（ｂ）参照）としている。
【００２２】
また、図２において、３８、３８は前記横棒２を固定するビス用孔、３９は商品名の表示部である。
前記各支持脚４は、図５に示すように、２本の円管状部材４１、４１と、両円管状部材４１、４１の上方に固定した２つの回動片４２、４３と、両円管状部材４１，４１の下端に設けた脚カバー４ａ、４ａ（図１参照）とから構成している。
【００２３】
円管状部材４１，４１は、外径が２２ｍｍの鋼管製により構成し、表面を黄色で塗装している。
脚カバー４ａ、４ａは合成樹脂製で、円管状部材４１、４１の下端外側に嵌めて接着剤で固定している。
【００２４】
次に、図３は２つの回動片を示す図面で、（ａ）は正面図、（ｂ）は底面図、図４は２つの回動片に圧縮コイルばねを組み込んだ状態を示す図面で、（ａ）は正面図、（ｂ）は側面図、（ｃ）は底面図、（ｄ）は（ｂ）のＡ−Ａ線断面図であり、図３及び図４を参照して、２つの回動片４２、４３及びこれらの組み込み状態を説明する。
回動片４２、４３はＡＢＳ樹脂製であり、前記１本の支持脚４を構成する２つの回動片４２、４３はそれぞれ、図３に示すように、前記突起部４２ａ、４３ａと、前記円管状部材４１、４１の上端に嵌め込む嵌合部４２ｂ、４３ｂと、前記嵌合部４２ｂ、４３ｂの上方に一体に形成した板状部４２ｃ、４３ｃと、板状部４２ｃ、４３ｃの上方に形成した取付孔４２ｄ、４３ｄ（図４参照）と、前記板状部４２ｃ、４３ｃの下方両側から内方に突出する突出片４２ｅ、４２ｅ、４３ｅ、４３ｅと、前記各突出片４２ｅ、４３ｅに形成した回動軸７（図４参照）に嵌合する回動孔４２ｆ、４３ｆと、前記板状部４２ｃ、４３ｃの内面に突出した前記圧縮コイルばねの端部を案内する案内部４２ｇ、４３ｇ（図４参照）とを備えている。
【００２５】
また、前記２つの回動片４２、４３は、一方の回動片４２の板状部４２ｃの幅を他方の回動片４３の板状部４３ｃの幅よりも大きく形成して、一方の回動片４２における前記両突出片４２ｅ、４２ｅの内側に、他方の回動片４３における前記両突出片４３ｅ、４３ｅが位置するように前記回動軸７に取付けるのである（図４参照）。
さらに、前記一方の回動片４２の突出片４２ｅ、４２ｅの内面には、前記回動孔４２ｆ、４２ｆの周辺を立上げた立上部４２ｈ、４２ｈを形成し、前記他方の回動片４３の突出片４３ｅ、４３ｅの外面には、前記立上部４２ｈ、４２ｈを案内する案内溝４３ｈ、４３ｈを形成して、２つの回動片４２、４３の組立を簡単に行えるようにしている。
【００２６】
また、前記回動片４２、４３の前記嵌合部４２ｂ、４３ｂは、下方部が先細状とした円管状であり、嵌合部４２ｂ、４３ｂには内方に窪む凹状部４２ｉ、４３ｉを縦方向に形成している。
前記凹状部４２ｉ、４３ｉは、円管状部材４１、４１との嵌合を強固にする必要があるときに、棒状の楔を組み込むことができるようにしている。
【００２７】
このように構成した２つの回動片４２、４３は、圧縮コイルばね６及び回動軸７を使用して脚カバー４ａ、４ａを固定した円管状部材４１、４１に組込むことにより、支持脚４とするのである。
回動軸７は、平頭付の軸により構成し、回動軸７の回動片４２、４３への固定は、端部に形成した環状溝にＥ形止め輪７ａを嵌め込むことにより行うのである。
【００２８】
圧縮コイルばね６は、材質を硬鋼線Ｃ種（ＳＷ−Ｃ）とし、直径２ｍｍ、コイル平均径１０．５ｍｍ、コイル内径８．５ｍｍ、有効巻数８、総巻数１０でとし、自由長を支持脚４、４がバリケード使用時のハの字状（開脚状態）となるときに若干の圧縮状態となる寸法（例えば、６０ｍｍ）、端部をクローズドエンドしている。
そして、連結部材３３、３３に取付軸５を介して支持脚４、４を取付けて、支持脚４、４をバリケード使用時のハの字状とした図１（ａ）に示す開脚状態では、２つの回動片４２、４２の角度α（図５参照）は、支持脚４を連結部材３３に取付前の２つの回動片４２、４２の角度βよりも２〜３度狭くなる位置で、支持脚４がバリケード使用時の使用時係止膨出部３５ａ及び使用時係止孔部３５ｂに係合するようにしている。
【００２９】
このような角度α、β（例えばαを４０度、βを４２．５度）関係とすることにより、バリケード１を使用するときに、支持脚４がバリケード使用時の使用時係止膨出部３５ａ及び使用時係止孔部３５ｂに係合した際に、圧縮コイルばね６が自然長よりも圧縮されて弾性力が２つの回動片４２、４３を離反する方向に付勢するようにしている。
以上のように形成したバリケード１における支持脚４を使用時係止部３５（使用時係止膨出部３５ａ及び使用時係止孔部３５ｂ）から不使用時係止部３６（不使用時係止切欠部３６ａ及び不使用時係止孔部３６ｂ）に又はその逆に係止するように切替える際は、支持脚４、４のそれぞれ２本の円管状部材４１、４１を圧縮コイルばね６の付勢力に抗して近づける方向に操作することにより、支持脚４をバリケード使用時のハの字状とバリケード不使用時の平行状とに簡単に切替えることができながら、圧縮コイルばね６の弾性力により支持脚４、４を各係止部３５、３６に確実に保持することができるのである。
【００３０】
以上の実施の形態では、横棒２を円管状としたが、形状は平板状でも、扁平状でも、角管状でもよく、中空状でなく中実状でもよい。
以上の実施の形態では、使用時係止部３５を使用時係止膨出部３５ａと、使用時係止孔部３５ｂとから構成したが、支持脚４又は支持脚４に設けた部材が、圧縮コイルばね６の付勢力により２本の円管状部材４１、４１をハの字状とした状態で係止する構造であれば他の構造のものでもよい。
【００３１】
また、以上の実施の形態では、不使用時係止部３６を不使用時係止切欠部３５ａと、不使用時係止孔部３６ｂとから構成したが、支持脚４又は支持脚４に設けた部材が、圧縮コイルばね６の付勢力により２本の円管状部材４１、４１を平行状に横棒２の下方に係止する構造であれば他の構造のものでもよい。
以上の実施の形態では、２つの回動片４２、４３は、板状部４２ｃ、４３ｃの内面に突出させた圧縮コイルばね６の端部を案内する案内部４２ｇ、４３ｇを設けたが、案内部４２ｇ、４３ｇに替えて、圧縮コイルばね６を２つの回動片４２、４３を離反する方向に付勢するように２つの回動片４２、４３に設ける構造であればよい。
【００３２】
また、以上の実施の形態では、２つの回動片４２、４２は、一方の回動片４２の板状部４２ｃの幅を他方の回動片４３の板状部４３ｃの幅よりも大きく形成して、一方の回動片４２における両突出片４２ｅ、４２ｅの内側に、他方の回動片４３における両突出片４３ｅ、４３ｅが位置するようにしたが、上記形態に限らず、各回動片を回動軸７に取付けて２本の円管状部材４１をハの字状と平行状とに回動可能に形成するとともに、２つの回動片を離反する方向に付勢する圧縮コイルばね６を回動軸７の下方における回動片に取付け、２つの回動片の上端において連結部材３に設けた取付軸５にその軸径よりも大きな取付孔で取付けられる形状であれば、色々な変形を行うことができる。
例えば、上記両回動片を同一の形状として、２つの回動片の突出片が交互に位置するようにしてもよく、各回動片の突出片を一つとしてもよい。
【００３３】
また、以上の実施の形態では、一例として寸法を示した部材もあるが、これらの寸法を適宜変更することができることはもちろんである。
さらに、以上の実施の形態では、一例として材質を示した部材（例えば、横棒２、連結部材３及び回動片４２、４３をＡＢＳ樹脂製）もあるが、これらの材質を適宜変更（各種の合成樹脂製、各種の金属製、竹製、木製など）できることはもちろんである。
【符号の説明】
【００３４】
１    バリケード
２    横棒
３    連結部材
４    支持脚
５    取付軸
６    圧縮コイルばね
７    回動軸
３１  受入孔部
３２  側壁部
３３  カバー部
３４  固定部
３５  使用時係止部
３５ａ  使用時係止膨出部
３５ｂ  使用時係止孔部
３６  不使用時係止部
３６ａ  不使用時係止切欠部
３６ｂ  不使用時係止孔部
４１  円管状部
４２、４３  回動片
４２ａ、４３ａ  突起部
４２ｂ、４３ｂ  嵌合部
４２ｃ、４３ｃ  板状部
４２ｄ、４３ｄ  取付孔
４２ｅ、４３ｅ  突出片
４２ｆ、４３ｆ  回動孔
４２ｇ、４３ｇ  案内部
【図１】
0003173163.tif 000003
【図２】
0003173163.tif 000004
【図３】
0003173163.tif 000005
【図４】
0003173163.tif 000006
【図５】
0003173163.tif 000007
【図６】
0003173163.tif 000008
【図７】
0003173163.tif 000009
【図８】
0003173163.tif 000010